(57)【要約】【課題】余計な操作を伴わずに栓体を取り外して使用状態におくことができる揮散器を提案する。【解決手段】上端開口１ａを有し、芳香剤等の内容物を充填する容器に着脱自在に配置される外筒体１と、この外筒体１の内側に一体連結するとともに、容器の口部３に固定保持される内筒体２と、外筒体１のガイド６ａ、６ｂに沿って昇降移動可能で、かつ、外筒体１の上端開口１ａを開閉する蓋体５と、この蓋体５の内側に連係保持される揮散体７と、容器の口部３から突出可能に配置され、容器内の内容物を吸い上げて該揮散体７に供給する吸い上げ芯９とを備えた揮散器において、容器の口部３に、容器の開封前においては吸い上げ芯９を覆い隠し、揮散体７との接触を阻止する一方、プルリング１２ｃの引張りにしたがう栓体１２ｂの引きちぎりにて吸い上げ芯９を容器の口部３から露出させて揮散体７との接触を可能とするカバーキャップ１２を設ける。【選択図】図１
2010235186.tif 000002
【特許請求の範囲】
【請求項１】
上端開口を有し、芳香剤等の内容物を充填する容器に着脱自在に配置される外筒体と、この外筒体の内側に一体連結するとともに、容器の口部に固定保持される内筒体と、外筒体のガイドに沿って昇降移動可能で、かつ、外筒体の上端開口を開閉する蓋体と、この蓋体の内側に連係保持される揮散体と、容器の口部から突出可能に配置され、容器内の内容物を吸い上げて該揮散体に供給する吸い上げ芯とを備えた揮散器であって、
前記容器の口部に、容器の開封前においては吸い上げ芯を覆い隠し揮散体との接触を阻止する一方、プルリングの引張りにしたがう栓体の引きちぎりにて吸い上げ芯を容器の口部から露出させて揮散体との接触を可能とするカバーキャップを設けたことを特徴とする揮散器。
【請求項２】
前記カバーキャップは、容器の口部に嵌合する環状体と、この環状体に破断予定線に沿って引きちぎり可能に連結する栓体と、この栓体につながり外筒体の外側からの引張りにより該栓体を破断予定線に沿って引きちぎるプルリングからなる、請求項１記載の揮散器。
【発明の詳細な説明】
【技術分野】
【０００１】
本発明は、芳香剤等の内容物を揮散させるのに用いて好適な揮散器に関するものである。
【背景技術】
【０００２】
芳香剤等の内容物を揮散させるのに使用される揮散器は、従来、内容物を収容した容器に着脱可能に固定保持するカバー体と、このカバー本体内に配置される揮散板（紙あるいはフェルト製等）と、容器内の内容物を吸い上げるとともに拡散板に染み込ませて揮散させる吸液芯にて構成されており、揮散器の使用前の状態では、容器の口部には、吸液芯を覆い隠すねじ付きのキャップが取り付けられており、このキャップによって吸液芯と拡散板との接触を回避するようにしていた（例えば特許文献１参照）。
【先行技術文献】
【特許文献】
【０００３】
【特許文献１】特開２００１−２６１０８０号公報
【発明の概要】
【発明が解決しようとする課題】
【０００４】
ところで、上記のような従来の揮散器は、その使用に際しては、キャップを容器の口部から取り外して吸液芯と拡散板との接触を図るようにしていたところ、該キャップの取り外しを行うには、カバー体を容器から一旦切り離す面倒な作業が必要であって、使い勝手がよいとは言えないのが現状であった。
【０００５】
本発明の課題は、簡単な操作のもとで使用状態におくことができる使い勝手のよい揮散器を提案するところにある。
【課題を解決するための手段】
【０００６】
本発明は、上端開口を有し、芳香剤等の内容物を充填する容器に着脱自在に配置される外筒体と、この外筒体の内側に一体連結するとともに、容器の口部に固定保持される内筒体と、外筒体のガイドに沿って昇降移動可能で、かつ、外筒体の上端開口を開閉する蓋体と、この蓋体の内側に連係保持される揮散体と、容器の口部から突出可能に配置され、容器内の内容物を吸い上げて該揮散体に供給する吸い上げ芯とを備えた揮散器であって、
前記容器の口部に、容器の開封前においては吸い上げ芯を覆い隠し揮散体との接触を阻止する一方、プルリングの引張りにしたがう栓体の引きちぎりにて吸い上げ芯を容器の口部から露出させて揮散体との接触を可能とするカバーキャップを設けたことを特徴とする揮散器である。
【０００７】
上記の構成の揮散器に接地されるカバーキャップとしては、容器の口部に嵌合する環状体と、この環状体に破断予定線に沿って引きちぎり可能に連結する栓体と、この栓体につながり外筒体の外側からの引張りにより該栓体を破断予定線に沿って引きちぎるプルリングとを組み合わせたものを用いることができる。
【発明の効果】
【０００８】
蓋体を引き上げて外筒体との間に隙間を設け、プルリングを引っ張ることによりカバーキャップの栓体の引きちぎりと、引きちぎりにかかる栓体の外筒体からの取り出しが可能となり、簡単な操作で使用状態におくことができる。
【図面の簡単な説明】
【０００９】
【図１】本発明にしたがう揮散器の実施の形態を示した外観斜視図である。
【図２】図１の側面を断面で示した図である。
【図３】図１の側面を示した図である。
【図４】蓋体を取り除いた状態の平面を示した図である。
【図５】カバーキャップの取り外し要領の説明図である。
【図６】揮散器の使用状態を示した図である。
【図７】本発明にしたがう揮散器の他の実施の形態を示した図（カバーキャップのみを表示）である。
【図８】揮散器の側面を断面で示した図である。
【図９】揮散器の平面を示した図である。
【発明を実施するための形態】
【００１０】
以下、図面を参照して本発明をより具体的に説明する。
図１は、本発明にしたがう揮散器（構成部材は合成樹脂で形成される）の実施の形態を模式的に示した外観斜視図であり、図２は、その側面を断面で示した図（Ａ−Ａ断面）であり、図３は、その側面の外表面を示した図であり、さらに図４は、蓋体を取り外した状態における揮散器の平面を示した図である。
【００１１】
図における１は、外筒体（ケース本体）である。この外筒体１は上端開口１ａ、下端開口１ｂを有しており、芳香剤等の内容物を充填する容器の外周壁にアンダーカットの如き係合手段により着脱自在に配置される。
【００１２】
また、２は外筒体１の内側に配置され、容器の口部３（図２参照）に固定保持される内筒体である。この内筒体２は容器の口部３をその内側に納めるものであって、複数本の縦リブ４によって外筒体１の内側壁に一体連結している。
【００１３】
５は外筒体１の上端開口１ａを開閉する蓋体である。この蓋体５は、環状周壁５ａと、この環状周壁５ａの上端に一体連結する天面壁５ｂから構成されており、環状周壁５ａの対向位置のそれぞれには下側に向けて延びる片持ち支持タイプのアーム５ｃ、５ｄが設けられている。蓋体５の環状周壁５ａの下端部には、外筒体１に設けられた凹所１ｃ、１ｄに適合する凸片５ｅが形成されていて、該凸片５ｅの下端面に設けられた舌片の凸部５ｅ１と外筒体１の内周面の凸部１ｅがアンダーカット係合することによって着脱自在に連係する（凸部と凹部によって係合させてもよい）。
【００１４】
６ａ、６ｂは外筒体１の内側の対向位置にそれぞれ設けられたガイドである。このガイド６ａ、６ｂは、蓋体５のアーム５ｃ、５ｄをスライド可能に保持するものであって、アーム５ｃ、５ｄの上下動にて蓋体５をスライドさせることによって外筒体１と蓋体５との隙間Ｔ（図５参照）を調整することができるようになっている。
【００１５】
７は蓋体５の内側に連係保持される揮散体（フェルトやスポンジ、不織布、紙等から構成される、図２参照）、８は容器の口部３に配置された支持体（図２参照）であり、この支持体８には筒体８ａが設けられている。９は支持体８の筒体８ａに挿通され、容器内に起立状態で配置された吸い上げ芯（図２参照）である。この吸い上げ芯９は、その上端部が容器の口部３から突出しており、この突出した上端部を揮散体７に接触させることで容器内の内容物を、吸い上げ芯９を介して揮散体７に供給することができるようになっている。
【００１６】
１０は、蓋体５の周壁５ａ及び天面壁５ｂに設けられ、揮散体７より揮散された内容物を外界へ放出する複数本のスリット（あるいは開口）、１１は、外筒体１の壁面に設けられた複数本のスリット（あるいは開口）である。このスリット１１もスリット１０と同様に揮散体７より揮散された内容物を外界へ放出するものであって、これらのスリット１０、１１はその大きさや形状は適宜変更される。
【００１７】
１２は、揮散器の使用前において吸い上げ芯９を覆い隠すカバーキャップである。このカバーキャップ１２は、容器の口部３の外側において嵌合（図示の例では、口部３と内筒２とで挟持して周り止めｔ（図２参照）を介して回動不能に固定する場合を示してある）する環状体１２ａと、この環状体１２ａの上端に一体連結する、フランジ付きのカップ状断面をなす栓体１２ｂと、この栓体１２ｂのフランジ部１２ｂ１に一体的につながり、外筒体１の上端開口１ａからその外側に延びるプルリング１２ｃから構成されている。
【００１８】
さらに、１３は、栓体１２ｂのフランジ部１２ｂ１に設けられた破断予定線である。この破断予定線１３は、栓体１２ｂの本体部分を取り囲むように設けられた薄肉部からなるものであって、プルリング１２ｃにより栓体１２ｂを外筒体１の外側から引っ張ることによりフランジ部１２ｂ１を破断予定線１３に沿って引きちぎるとともに、引きちぎりにかかる栓体１２ｂを取り外すことができるようになっている。
【００１９】
図示のプルリング１２ｃは、フランジ部１２ｂ１から立ち上がる一対の支柱１２ｃ１と、この支柱１２ｃ１のそれぞれに連結して栓体１２ｂの外周壁に沿って対向位置へと伸延する帯状体１２ｃ２と、この帯状体１２ｃ２の各端部をつなぐ棒状体１２ｃ３と、この棒状体１２ｃ３にヒンジｈを介してつながる指掛け部１２ｃ４から構成されたものを例として示してあり、図５に示すように、蓋体５を上方にスライドさせて外筒体１の上端開口１ａとの間に隙間Ｔを形成したのち、指掛け部１２ｃ４をヒンジｈを起点に水平になるように持ち上げ、外筒体１から離れる向きにプルリング１２ｃを引っ張ることにより、フランジ部１２ｂ１が破断予定線１３に沿って引きちぎられることとなる。
【００２０】
栓体１２ｂが取り外された状態で図６に示すように、蓋体５を下方に向けてスライドさせることにより、揮散体７が吸い上げ芯９の上端部に接触し、これにより内容物の揮散が可能となる。
【００２１】
本発明にしたがう揮散器は、上記の如く、容器に装着したままで栓体（密封栓）を取り外して使用状態におくことがきるので、外筒体１の取り付け、取り外し操作は一切必要ない。
【００２２】
プルリング１２cの指掛け部１２ｃ４の先端部に凹部又は突起１４を設け、外筒体１の外周壁１に該凹部又は突起１４に適合する突起又は凹部１５を設けておき、該凹部又は突起１４と、突起又は凹部１５とを適合させておくことで、ヒンジｈを起点とする指掛け部１２ｃ４のばたつき（商品の流通段階でのばたつき）が回避される。
【００２３】
図７〜図９は、本発明にしたがう揮散器の他の実施の形態を示した図である。この揮散器は、カバーキャップ１２の栓体１２ｂの上端面に円形状の破断予定線１６を設け、指掛け部１２ｃ４が位置する側の対向位置ｍで栓体１２ｂの外周壁に支柱１２ｃ１を連結するとともに、該支柱１２ｃ１に帯状体１２ｃ２をつなげた構造のものである。
【００２４】
かかる構成になるプルリング１２ｃは、フランジ部１２ｂ１に設けられた破断予定線１３の他に栓体１２ｂの上端面に破断予定線１６が設けられているため、比較的小さな力でもって確実に栓体１２ｂの引きちぎりが行える利点がある。
【産業上の利用可能性】
【００２５】
栓体を簡単な操作で取り外して使用状態におくことを可能とした揮散器が提供できる。
【符号の説明】
【００２６】
１      外筒体（ケース本体）
１ａ    上端開口
１ｂ    下端開口
１ｃ    凹所
１ｄ    凹所
１ｅ    凸部
２      内筒体
３      容器の口部
４      縦リブ
５      蓋体
５ａ    環状周壁
５ｂ    天面壁
５ｃ    アーム
５ｄ    アーム
５ｅ    凸片
６ａ    ガイド
６ｂ    ガイド
７      揮散体
８      支持体
９      吸い上げ芯
１０    スリット
１１    スリット
１２    カバーキャップ
１２ａ  環状体
１２ｂ  栓体
１２ｃ  プルリング
１３    破断予定線
１４    凹部又は凸部
１５    凸部又は凹部
１６    破断予定線
Ｔ      隙間
【図１】
2010235186.tif 000003
【図２】
2010235186.tif 000004
【図３】
2010235186.tif 000005
【図４】
2010235186.tif 000006
【図５】
2010235186.tif 000007
【図６】
2010235186.tif 000008
【図７】
2010235186.tif 000009
【図８】
2010235186.tif 000010
【図９】
2010235186.tif 000011